(57)【要約】【課題】ふかし寸法が考慮された高精度な平均地盤高さを容易に算出する。【解決手段】平均地盤高さ算出装置は、建物が周囲の地面と接する位置の平均の高さにおける水平面である平均地盤面の高さを算出する平均地盤高さ算出装置であって、前記建物が周囲の地面と接する位置は、複数の区画によって構成され、各区画の第１端部のふかし寸法である第１端部ふかし寸法を算出し、各区画の第２端部のふかし寸法である第２端部ふかし寸法を算出し、各区画の第１端部ふかし寸法と各区画の第２端部ふかし寸法とに基づいて各区画のふかし寸法考慮後長さを算出し、各区画の第１端部の高さと各区画の第２端部の高さと各区画のふかし寸法考慮後長さとに基づいて各区画のふかし寸法考慮後面積を算出し、全区画のふかし寸法考慮後長さと全区画のふかし寸法考慮後面積とに基づいて平均地盤高さを算出する。【選択図】図１
2020154799.tif 000002
【特許請求の範囲】
【請求項１】
建物が周囲の地面と接する位置の平均の高さにおける水平面である平均地盤面の高さを算出する平均地盤高さ算出装置であって、
前記建物が周囲の地面と接する位置は、複数の区画によって構成され、
各区画の長さを取得する第１取得部と、
各区画の一方の端部である第１端部の高さを取得する第２取得部と、
各区画の他方の端部である第２端部の高さを取得する第３取得部と、
各区画の前記第１端部のふかしタイプを取得する第４取得部と、
各区画の前記第２端部のふかしタイプを取得する第５取得部と、
前記第４取得部によって取得された各区画の前記第１端部のふかしタイプに基づいて、各区画の前記第１端部のふかし寸法である第１端部ふかし寸法を算出する第１算出部と、
前記第５取得部によって取得された各区画の前記第２端部のふかしタイプに基づいて、各区画の前記第２端部のふかし寸法である第２端部ふかし寸法を算出する第２算出部と、
前記第１取得部によって取得された各区画の長さと、前記第１算出部によって算出された各区画の前記第１端部ふかし寸法と、前記第２算出部によって算出された各区画の前記第２端部ふかし寸法とに基づいて、各区画のふかし寸法考慮後長さを算出する第３算出部と、
前記第２取得部によって取得された各区画の前記第１端部の高さと、前記第３取得部によって取得された各区画の前記第２端部の高さと、前記第３算出部によって算出された各区画の前記ふかし寸法考慮後長さとに基づいて、各区画のふかし寸法考慮後面積を算出する第４算出部と、
前記第３算出部によって算出された各区画の前記ふかし寸法考慮後長さに基づいて、全区画のふかし寸法考慮後長さを算出する第５算出部と、
前記第４算出部によって算出された各区画の前記ふかし寸法考慮後面積に基づいて、全区画のふかし寸法考慮後面積を算出する第６算出部と、
前記第５算出部によって算出された前記全区画のふかし寸法考慮後長さと、前記第６算出部によって算出された前記全区画のふかし寸法考慮後面積とに基づいて、平均地盤高さを算出する第７算出部とを備える、
平均地盤高さ算出装置。
【請求項２】
前記第１算出部は、
前記第１端部が平部である場合に、前記第１端部ふかし寸法としてゼロを算出し、
前記第１端部が出隅である場合に、前記第１端部ふかし寸法として正の値を算出し、
前記第１端部が入隅である場合に、前記第１端部ふかし寸法として負の値を算出し、
前記第２算出部は、
前記第２端部が平部である場合に、前記第２端部ふかし寸法としてゼロを算出し、
前記第２端部が出隅である場合に、前記第２端部ふかし寸法として正の値を算出し、
前記第２端部が入隅である場合に、前記第２端部ふかし寸法として負の値を算出する、
請求項１に記載の平均地盤高さ算出装置。
【請求項３】
前記第３算出部は、
各区画のふかし寸法考慮後長さとして、
前記第１取得部によって取得された各区画の長さと、前記第１算出部によって算出された各区画の前記第１端部ふかし寸法と、前記第２算出部によって算出された各区画の前記第２端部ふかし寸法との和を算出する、
請求項２に記載の平均地盤高さ算出装置。
【請求項４】
前記第４算出部は、
各区画のふかし寸法考慮後面積として、
前記第２取得部によって取得された各区画の前記第１端部の高さと前記第３取得部によって取得された各区画の前記第２端部の高さとの和と、前記第３算出部によって算出された各区画の前記ふかし寸法考慮後長さとの積を２で除した値を算出する、
請求項３に記載の平均地盤高さ算出装置。
【請求項５】
前記第７算出部は、
前記平均地盤高さとして、
前記第６算出部によって算出された前記全区画のふかし寸法考慮後面積を、前記第５算出部によって算出された前記全区画のふかし寸法考慮後長さで除した値を算出する、
請求項４に記載の平均地盤高さ算出装置。
【請求項６】
請求項１から請求項５のいずれか一項に記載の平均地盤高さ算出装置の利用方法であって、
前記第７算出部によって算出された前記平均地盤高さと、
敷地における設計ＧＬから基礎天端までの高さである基礎天端高さと、
前記基礎天端よりも上の前記建物の高さである構造高さとに基づいて、
前記建物の構造計算に用いられる建物高さを算出する、
平均地盤高さ算出装置の利用方法。
【請求項７】
前記建物の構造計算に用いられる建物高さが、
前記平均地盤高さと前記基礎天端高さと前記構造高さとの和である、
請求項６に記載の平均地盤高さ算出装置の利用方法。
【請求項８】
前記建物の構造計算に用いられる建物高さと、
前記建物の真北方向の軒先と境界線との距離と、
前記建物の最高高とに基づいて、北側斜線制限の検討を実行する、
請求項６または請求項７に記載の平均地盤高さ算出装置の利用方法。
【請求項９】
前記建物の構造計算に用いられる建物高さと、
前記建物の軒の高さと、
基準風速とに基づいて、速度圧を算出する、
請求項６または請求項７に記載の平均地盤高さ算出装置の利用方法。
【請求項１０】
建物が周囲の地面と接する位置の平均の高さにおける水平面である平均地盤面の高さを算出する平均地盤高さ算出方法であって、
前記建物が周囲の地面と接する位置は、複数の区画によって構成され、
各区画の長さを取得する第１取得ステップと、
各区画の一方の端部である第１端部の高さを取得する第２取得ステップと、
各区画の他方の端部である第２端部の高さを取得する第３取得ステップと、
各区画の前記第１端部のふかしタイプを取得する第４取得ステップと、
各区画の前記第２端部のふかしタイプを取得する第５取得ステップと、
前記第４取得ステップにおいて取得された各区画の前記第１端部のふかしタイプに基づいて、各区画の前記第１端部のふかし寸法である第１端部ふかし寸法を算出する第１算出ステップと、
前記第５取得ステップにおいて取得された各区画の前記第２端部のふかしタイプに基づいて、各区画の前記第２端部のふかし寸法である第２端部ふかし寸法を算出する第２算出ステップと、
前記第１取得ステップにおいて取得された各区画の長さと、前記第１算出ステップにおいて算出された各区画の前記第１端部ふかし寸法と、前記第２算出ステップにおいて算出された各区画の前記第２端部ふかし寸法とに基づいて、各区画のふかし寸法考慮後長さを算出する第３算出ステップと、
前記第２取得ステップにおいて取得された各区画の前記第１端部の高さと、前記第３取得ステップにおいて取得された各区画の前記第２端部の高さと、前記第３算出ステップにおいて算出された各区画の前記ふかし寸法考慮後長さとに基づいて、各区画のふかし寸法考慮後面積を算出する第４算出ステップと、
前記第３算出ステップにおいて算出された各区画の前記ふかし寸法考慮後長さに基づいて、全区画のふかし寸法考慮後長さを算出する第５算出ステップと、
前記第４算出ステップにおいて算出された各区画の前記ふかし寸法考慮後面積に基づいて、全区画のふかし寸法考慮後面積を算出する第６算出ステップと、
前記第５算出ステップにおいて算出された前記全区画のふかし寸法考慮後長さと、前記第６算出ステップにおいて算出された前記全区画のふかし寸法考慮後面積とに基づいて、平均地盤高さを算出する第７算出ステップとを備える、
平均地盤高さ算出方法。
【請求項１１】
コンピュータに、建物が周囲の地面と接する位置の平均の高さにおける水平面である平均地盤面の高さを算出させるプログラムであって、
前記建物が周囲の地面と接する位置は、複数の区画によって構成され、
前記コンピュータに、
各区画の長さを取得する第１取得ステップと、
各区画の一方の端部である第１端部の高さを取得する第２取得ステップと、
各区画の他方の端部である第２端部の高さを取得する第３取得ステップと、
各区画の前記第１端部のふかしタイプを取得する第４取得ステップと、
各区画の前記第２端部のふかしタイプを取得する第５取得ステップと、
前記第４取得ステップにおいて取得された各区画の前記第１端部のふかしタイプに基づいて、各区画の前記第１端部のふかし寸法である第１端部ふかし寸法を算出する第１算出ステップと、
前記第５取得ステップにおいて取得された各区画の前記第２端部のふかしタイプに基づいて、各区画の前記第２端部のふかし寸法である第２端部ふかし寸法を算出する第２算出ステップと、
前記第１取得ステップにおいて取得された各区画の長さと、前記第１算出ステップにおいて算出された各区画の前記第１端部ふかし寸法と、前記第２算出ステップにおいて算出された各区画の前記第２端部ふかし寸法とに基づいて、各区画のふかし寸法考慮後長さを算出する第３算出ステップと、
前記第２取得ステップにおいて取得された各区画の前記第１端部の高さと、前記第３取得ステップにおいて取得された各区画の前記第２端部の高さと、前記第３算出ステップにおいて算出された各区画の前記ふかし寸法考慮後長さとに基づいて、各区画のふかし寸法考慮後面積を算出する第４算出ステップと、
前記第３算出ステップにおいて算出された各区画の前記ふかし寸法考慮後長さに基づいて、全区画のふかし寸法考慮後長さを算出する第５算出ステップと、
前記第４算出ステップにおいて算出された各区画の前記ふかし寸法考慮後面積に基づいて、全区画のふかし寸法考慮後面積を算出する第６算出ステップと、
前記第５算出ステップにおいて算出された前記全区画のふかし寸法考慮後長さと、前記第６算出ステップにおいて算出された前記全区画のふかし寸法考慮後面積とに基づいて、平均地盤高さを算出する第７算出ステップと
を実行させるためのプログラム。
【発明の詳細な説明】
【技術分野】
【０００１】
本発明は平均地盤高さ算出装置、平均地盤高さ算出装置の利用方法、平均地盤高さ算出方法およびプログラムに関する。
【背景技術】
【０００２】
建物の配置や高さなど敷地計画を決定するに当たり、建物周囲の地盤面と建物の高さ関係はプランニングの進展に応じて変更されることがあり、確認申請図書や意匠図、構造計算にそれぞれ修正が必要なことがある。従来はそれらの整合性をとるために多くの図面やデータを書き換える必要があり、この作業は精度を確保するために多大な労力をかける必要があった。
【０００３】
また、従来から、コンピュータを用いて建築物の敷地の平均地盤高を決定する平均地盤高方法が知られている（例えば特許文献１参照）。特許文献１に記載された技術では、入力処理で、各区画の区画長、左端高および右端高が入力される。演算処理では、各区画の平均地盤高、面積、総区画長、総面積および総平均地盤高が算出される。判定処理では、建築物規制条件を考慮して設定された理想的平均地盤高と総平均地盤高とが一致するか否かが判定される。判定結果が不一致のときには、選択処理で、理想的平均地盤高と総平均地盤高との差分が算出され、この差分を零にするための３つの調整処理のうちのいずれか１つが選択される。調整処理では、逆算によって選定区画の調整が行われるか、あるいは、ブロック単位で選定区画の調整が行われる。
ところで、特許文献１に記載された技術では、仮に判定結果が不一致のときに選択処理を行う必要があり、平均地盤高が算出されるまでの手順が煩雑である。つまり、特許文献１に記載された技術では、平均地盤高を容易に算出することができない。
また、特許文献１に記載された技術では、ふかし寸法が考慮されることなく、平均地盤高が算出されている。そのため、特許文献１に記載された技術では、ふかし寸法を無視できない場合に、平均地盤高の算出精度が著しく低下してしまう。
【先行技術文献】
【特許文献】
【０００４】
【特許文献１】特開平１０−０５４７１５号公報
【発明の概要】
【発明が解決しようとする課題】
【０００５】
本発明者は、鋭意研究において、特許文献１に記載された技術のような複雑な調整処理を行う必要なく、ふかし寸法が考慮された高精度な平均地盤高さを容易に算出することができる新たな手法を見い出したのである。
つまり、本発明は、ふかし寸法が考慮された高精度な平均地盤高さを容易に算出することができる平均地盤高さ算出装置、平均地盤高さ算出装置の利用方法、平均地盤高さ算出方法およびプログラムを提供することを目的とする。
【課題を解決するための手段】
【０００６】
本発明の一態様は、建物が周囲の地面と接する位置の平均の高さにおける水平面である平均地盤面の高さを算出する平均地盤高さ算出装置であって、前記建物が周囲の地面と接する位置は、複数の区画によって構成され、各区画の長さを取得する第１取得部と、各区画の一方の端部である第１端部の高さを取得する第２取得部と、各区画の他方の端部である第２端部の高さを取得する第３取得部と、各区画の前記第１端部のふかしタイプを取得する第４取得部と、各区画の前記第２端部のふかしタイプを取得する第５取得部と、前記第４取得部によって取得された各区画の前記第１端部のふかしタイプに基づいて、各区画の前記第１端部のふかし寸法である第１端部ふかし寸法を算出する第１算出部と、前記第５取得部によって取得された各区画の前記第２端部のふかしタイプに基づいて、各区画の前記第２端部のふかし寸法である第２端部ふかし寸法を算出する第２算出部と、前記第１取得部によって取得された各区画の長さと、前記第１算出部によって算出された各区画の前記第１端部ふかし寸法と、前記第２算出部によって算出された各区画の前記第２端部ふかし寸法とに基づいて、各区画のふかし寸法考慮後長さを算出する第３算出部と、前記第２取得部によって取得された各区画の前記第１端部の高さと、前記第３取得部によって取得された各区画の前記第２端部の高さと、前記第３算出部によって算出された各区画の前記ふかし寸法考慮後長さとに基づいて、各区画のふかし寸法考慮後面積を算出する第４算出部と、前記第３算出部によって算出された各区画の前記ふかし寸法考慮後長さに基づいて、全区画のふかし寸法考慮後長さを算出する第５算出部と、前記第４算出部によって算出された各区画の前記ふかし寸法考慮後面積に基づいて、全区画のふかし寸法考慮後面積を算出する第６算出部と、前記第５算出部によって算出された前記全区画のふかし寸法考慮後長さと、前記第６算出部によって算出された前記全区画のふかし寸法考慮後面積とに基づいて、平均地盤高さを算出する第７算出部とを備える、平均地盤高さ算出装置である。
【０００７】
本発明の一態様の平均地盤高さ算出装置では、前記第１算出部は、前記第１端部が平部である場合に、前記第１端部ふかし寸法としてゼロを算出し、前記第１端部が出隅である場合に、前記第１端部ふかし寸法として正の値を算出し、前記第１端部が入隅である場合に、前記第１端部ふかし寸法として負の値を算出し、前記第２算出部は、前記第２端部が平部である場合に、前記第２端部ふかし寸法としてゼロを算出し、前記第２端部が出隅である場合に、前記第２端部ふかし寸法として正の値を算出し、前記第２端部が入隅である場合に、前記第２端部ふかし寸法として負の値を算出してもよい。
【０００８】
本発明の一態様の平均地盤高さ算出装置では、前記第３算出部は、各区画のふかし寸法考慮後長さとして、前記第１取得部によって取得された各区画の長さと、前記第１算出部によって算出された各区画の前記第１端部ふかし寸法と、前記第２算出部によって算出された各区画の前記第２端部ふかし寸法との和を算出してもよい。
【０００９】
本発明の一態様の平均地盤高さ算出装置では、前記第４算出部は、各区画のふかし寸法考慮後面積として、前記第２取得部によって取得された各区画の前記第１端部の高さと前記第３取得部によって取得された各区画の前記第２端部の高さとの和と、前記第３算出部によって算出された各区画の前記ふかし寸法考慮後長さとの積を２で除した値を算出してもよい。
【００１０】
本発明の一態様の平均地盤高さ算出装置では、前記第７算出部は、前記平均地盤高さとして、前記第６算出部によって算出された前記全区画のふかし寸法考慮後面積を、前記第５算出部によって算出された前記全区画のふかし寸法考慮後長さで除した値を算出してもよい。
【００１１】
本発明の一態様は、平均地盤高さ算出装置の利用方法であって、前記第７算出部によって算出された前記平均地盤高さと、敷地における設計ＧＬから基礎天端までの高さである基礎天端高さと、前記基礎天端よりも上の前記建物の高さである構造高さとに基づいて、前記建物の構造計算に用いられる建物高さを算出する、平均地盤高さ算出装置の利用方法である。
【００１２】
本発明の一態様の平均地盤高さ算出装置の利用方法では、前記建物の構造計算に用いられる建物高さが、前記平均地盤高さと前記基礎天端高さと前記構造高さとの和であってもよい。
【００１３】
本発明の一態様の平均地盤高さ算出装置の利用方法では、前記建物の構造計算に用いられる建物高さと、前記建物の真北方向の軒先と境界線との距離と、前記建物の最高高とに基づいて、北側斜線制限の検討を実行してもよい。
【００１４】
本発明の一態様の平均地盤高さ算出装置の利用方法では、前記建物の構造計算に用いられる建物高さと、前記建物の軒の高さと、基準風速とに基づいて、速度圧を算出してもよい。
【００１５】
本発明の一態様は、建物が周囲の地面と接する位置の平均の高さにおける水平面である平均地盤面の高さを算出する平均地盤高さ算出方法であって、前記建物が周囲の地面と接する位置は、複数の区画によって構成され、各区画の長さを取得する第１取得ステップと、各区画の一方の端部である第１端部の高さを取得する第２取得ステップと、各区画の他方の端部である第２端部の高さを取得する第３取得ステップと、各区画の前記第１端部のふかしタイプを取得する第４取得ステップと、各区画の前記第２端部のふかしタイプを取得する第５取得ステップと、前記第４取得ステップにおいて取得された各区画の前記第１端部のふかしタイプに基づいて、各区画の前記第１端部のふかし寸法である第１端部ふかし寸法を算出する第１算出ステップと、前記第５取得ステップにおいて取得された各区画の前記第２端部のふかしタイプに基づいて、各区画の前記第２端部のふかし寸法である第２端部ふかし寸法を算出する第２算出ステップと、前記第１取得ステップにおいて取得された各区画の長さと、前記第１算出ステップにおいて算出された各区画の前記第１端部ふかし寸法と、前記第２算出ステップにおいて算出された各区画の前記第２端部ふかし寸法とに基づいて、各区画のふかし寸法考慮後長さを算出する第３算出ステップと、前記第２取得ステップにおいて取得された各区画の前記第１端部の高さと、前記第３取得ステップにおいて取得された各区画の前記第２端部の高さと、前記第３算出ステップにおいて算出された各区画の前記ふかし寸法考慮後長さとに基づいて、各区画のふかし寸法考慮後面積を算出する第４算出ステップと、前記第３算出ステップにおいて算出された各区画の前記ふかし寸法考慮後長さに基づいて、全区画のふかし寸法考慮後長さを算出する第５算出ステップと、前記第４算出ステップにおいて算出された各区画の前記ふかし寸法考慮後面積に基づいて、全区画のふかし寸法考慮後面積を算出する第６算出ステップと、前記第５算出ステップにおいて算出された前記全区画のふかし寸法考慮後長さと、前記第６算出ステップにおいて算出された前記全区画のふかし寸法考慮後面積とに基づいて、平均地盤高さを算出する第７算出ステップとを備える、平均地盤高さ算出方法である。
【００１６】
本発明の一態様は、コンピュータに、建物が周囲の地面と接する位置の平均の高さにおける水平面である平均地盤面の高さを算出させるプログラムであって、前記建物が周囲の地面と接する位置は、複数の区画によって構成され、前記コンピュータに、各区画の長さを取得する第１取得ステップと、各区画の一方の端部である第１端部の高さを取得する第２取得ステップと、各区画の他方の端部である第２端部の高さを取得する第３取得ステップと、各区画の前記第１端部のふかしタイプを取得する第４取得ステップと、各区画の前記第２端部のふかしタイプを取得する第５取得ステップと、前記第４取得ステップにおいて取得された各区画の前記第１端部のふかしタイプに基づいて、各区画の前記第１端部のふかし寸法である第１端部ふかし寸法を算出する第１算出ステップと、前記第５取得ステップにおいて取得された各区画の前記第２端部のふかしタイプに基づいて、各区画の前記第２端部のふかし寸法である第２端部ふかし寸法を算出する第２算出ステップと、前記第１取得ステップにおいて取得された各区画の長さと、前記第１算出ステップにおいて算出された各区画の前記第１端部ふかし寸法と、前記第２算出ステップにおいて算出された各区画の前記第２端部ふかし寸法とに基づいて、各区画のふかし寸法考慮後長さを算出する第３算出ステップと、前記第２取得ステップにおいて取得された各区画の前記第１端部の高さと、前記第３取得ステップにおいて取得された各区画の前記第２端部の高さと、前記第３算出ステップにおいて算出された各区画の前記ふかし寸法考慮後長さとに基づいて、各区画のふかし寸法考慮後面積を算出する第４算出ステップと、前記第３算出ステップにおいて算出された各区画の前記ふかし寸法考慮後長さに基づいて、全区画のふかし寸法考慮後長さを算出する第５算出ステップと、前記第４算出ステップにおいて算出された各区画の前記ふかし寸法考慮後面積に基づいて、全区画のふかし寸法考慮後面積を算出する第６算出ステップと、前記第５算出ステップにおいて算出された前記全区画のふかし寸法考慮後長さと、前記第６算出ステップにおいて算出された前記全区画のふかし寸法考慮後面積とに基づいて、平均地盤高さを算出する第７算出ステップとを実行させるためのプログラムである。
【発明の効果】
【００１７】
本発明によれば、ふかし寸法が考慮された高精度な平均地盤高さを容易に算出することができる平均地盤高さ算出装置、平均地盤高さ算出装置の利用方法、平均地盤高さ算出方法およびプログラムを提供することができる。
【図面の簡単な説明】
【００１８】
【図１】第１実施形態の平均地盤高さ算出装置の一例を示す図である。
【図２】区画の長さなどの一例を示す図である。
【図３】第１実施形態の平均地盤高さ算出装置による平均地盤高さの算出対象の建物などの一例を示す図である。
【図４】建物が周囲の地面と接する位置の他の例の詳細図などである。
【図５】図４（Ａ）に示す建物が周囲の地面と接する位置に関するデータを示す図である。
【図６】第１実施形態の平均地盤高さ算出装置において実行される処理の一例を説明するためのフローチャートである。
【図７】第１実施形態の平均地盤高さ算出装置の第１適用例を示す図である。
【図８】設計ＧＬと平均ＧＬと平均地盤高さと基礎天端との関係などを示す図である。
【図９】第１実施形態の平均地盤高さ算出装置の第２適用例を示す図である。
【図１０】設計ＧＬと、平均ＧＬと、平均地盤高さと、建物の最高高と、建物の真北方向の軒先と境界線との距離と、北側斜線の勾配と、基準高さとの関係を示す図である。
【図１１】第１実施形態の平均地盤高さ算出装置の第３適用例を示す図である。
【発明を実施するための形態】
【００１９】
以下、本発明の平均地盤高さ算出装置、平均地盤高さ算出装置の利用方法、平均地盤高さ算出方法およびプログラムの実施形態について、添付図面を参照して説明する。
【００２０】
＜第１実施形態＞
図１は第１実施形態の平均地盤高さ算出装置１の一例を示す図である。
図２は区画の長さＬｉなどの一例を示す図である。詳細には、図２（Ａ）は区画の長さＬｉ、区画の一方の端部である第１端部のふかし寸法ａｓｉ、区画の他方の端子である第２端部のふかし寸法ａｅｉ、壁芯および柱芯を示す図である。図２（Ｂ）は区画、第１端部、第２端部、第１端部の高さｄｓｉおよび第２端部の高さｄｅｉを示す図である。図２（Ｃ）は区画の長さＬｉと、第１端部のふかし寸法ａｓｉと、第１端部の高さｄｓｉと、第２端部の高さｄｅｉと、区画のふかし寸法考慮後面積Ｓｉ’との関係を示す図である。
図３は第１実施形態の平均地盤高さ算出装置１による平均地盤高さの算出対象の建物ＢＧなどの一例を示す図である。詳細には、図３（Ａ）は第１実施形態の平均地盤高さ算出装置１による平均地盤高さの算出対象の建物ＢＧの一例の配置図を示している。具体的には、図３（Ａ）は第１実施形態の平均地盤高さ算出装置１による平均地盤高さの算出対象の建物ＢＧが周囲の地面と接する位置Ｐ（詳細には、線）の一例を示している。図３（Ｂ）は第１実施形態の平均地盤高さ算出装置１による平均地盤高さの算出対象の建物ＢＧの一例の立面図を示している。
【００２１】
図４は建物ＢＧが周囲の地面と接する位置Ｐの他の例の詳細図などである。詳細には、図４（Ａ）は建物ＢＧが周囲の地面と接する位置Ｐの他の例の詳細図である。図４（Ｂ）は図４（Ａ）に示す区画Ｓ４のふかし考慮後面積Ｓ４’を説明するための図である。図４（Ｃ）は図４（Ａ）に示す区画Ｓ２のふかし考慮後面積Ｓ２’を説明するための図である。図４（Ｄ）は図４（Ａ）に示す区画Ｓ３のふかし考慮後面積Ｓ３’を説明するための図である。
図５は図４（Ａ）に示す建物ＢＧが周囲の地面と接する位置Ｐ（詳細には、線および線の端部）に関するデータを示す図である。詳細には、図５（Ａ）はモジュールデータ（ふかし寸法が考慮される前のデータ）を示しており、図５（Ｂ）はふかしデータ（ふかし寸法が考慮された後のデータ）を示している。
【００２２】
図１〜図５に示す例では、平均地盤高さ算出装置１は、建物ＢＧ（図３（Ａ）、図３（Ｂ）および図４（Ａ）参照）が周囲の地面と接する位置Ｐ（図３（Ａ）および図４（Ａ）参照）の平均の高さにおける水平面である平均地盤面（平均ＧＬ（グランドライン））の高さ（詳細には、設計ＧＬに対する平均ＧＬの相対的な高さ）を算出する。建物ＢＧが周囲の地面と接する位置Ｐは、複数の区画（図４（Ａ）に示す例では、区画Ｓ１〜区画Ｓ７）によって構成される。
平均地盤高さ算出装置１は、第１取得部１Ａと、第２取得部１Ｂと、第３取得部１Ｃと、第４取得部１Ｄと、第５取得部１Ｅと、第１算出部１Ｆと、第２算出部１Ｇと、第３算出部１Ｈと、第４算出部１Ｊと、第５算出部１Ｋと、第６算出部１Ｌと、第７算出部１Ｍとを備えている。
【００２３】
第１取得部１Ａは、各区画の長さＬｉを取得する。つまり、第１取得部１Ａは、建物ＢＧが周囲の地面と接する位置Ｐを構成する複数の区画のそれぞれの長さＬｉを取得する。
詳細には、図４および図５に示す例では、第１取得部１Ａが、区画Ｓ１の長さＬ１（３６６０［ｍｍ］）と、区画Ｓ２の長さＬ２（１８３０［ｍｍ］）と、区画Ｓ３の長さＬ３（１８３０［ｍｍ］）と、区画Ｓ４の長さＬ４（２７４５［ｍｍ］）と、区画Ｓ５の長さＬ５（５４９０［ｍｍ］）と、区画Ｓ６の長さＬ６（１８３０［ｍｍ］）と、区画Ｓ７の長さＬ７（２７４５［ｍｍ］）とを取得する。
【００２４】
図１〜図５に示す例では、第２取得部１Ｂが、各区画の一方の端部である第１端部の高さｄｓｉを取得する。
詳細には、図４および図５に示す例では、第２取得部１Ｂが、区画Ｓ１の第１端部（始点）Ｓ１Ｓの高さｄｓ１（０［ｍｍ］）と、区画Ｓ２の第１端部（始点）Ｓ２Ｓの高さｄｓ２（−１００［ｍｍ］）と、区画Ｓ３の第１端部（始点）Ｓ３Ｓの高さｄｓ３（−１００［ｍｍ］）と、区画Ｓ４の第１端部（始点）Ｓ４Ｓの高さｄｓ４（−５０［ｍｍ］）と、区画Ｓ５の第１端部（始点）Ｓ５Ｓの高さｄｓ５（０［ｍｍ］）と、区画Ｓ６の第１端部（始点）Ｓ６Ｓの高さｄｓ６（０［ｍｍ］）と、区画Ｓ７の第１端部（始点）Ｓ７Ｓの高さｄｓ７（０［ｍｍ］）とを取得する。
具体的には、例えば「区画Ｓ２の第１端部Ｓ２Ｓの高さｄｓ２（−１００［ｍｍ］）」は、区画Ｓ２の第１端部Ｓ２Ｓの高さが、設計ＧＬの高さよりも１００［ｍｍ］高いことを意味する。
つまり、第２取得部１Ｂによって取得される「高さ」は、設計ＧＬからの各ポイントの下がり寸法を意味する。例えば、第２取得部１Ｂによって取得された第１端部（始点）の高さが１００［ｍｍ］である場合には、その第１端部（始点）の高さは、設計ＧＬの高さよりも１００［ｍｍ］低いことになる。
【００２５】
図１〜図５に示す例では、第３取得部１Ｃが、各区画の他方の端部である第２端部の高さｄｅｉを取得する。
詳細には、図４および図５に示す例では、第３取得部１Ｃが、区画Ｓ１の第２端部（終点）Ｓ１Ｅの高さｄｅ１（０［ｍｍ］）と、区画Ｓ２の第２端部（終点）Ｓ２Ｅの高さｄｅ２（−１００［ｍｍ］）と、区画Ｓ３の第２端部（終点）Ｓ３Ｅの高さｄｅ３（−５０［ｍｍ］）と、区画Ｓ４の第２端部（終点）Ｓ４Ｅの高さｄｅ４（０［ｍｍ］）と、区画Ｓ５の第２端部（終点）Ｓ５Ｅの高さｄｅ５（０［ｍｍ］）と、区画Ｓ６の第２端部（終点）Ｓ６Ｅの高さｄｅ６（０［ｍｍ］）と、区画Ｓ７の第２端部（終点）Ｓ７Ｅの高さｄｅ７（０［ｍｍ］）とを取得する。
各区画の第１端部（始点）の高さおよび第２端部（終点）の高さが、第２取得部１Ｂおよび第３取得部１Ｃによって取得される（つまり、各区画の第１端部（始点）の高さおよび第２端部（終点）の高さが、平均地盤高さ算出装置１の操作者によって平均地盤高さ算出装置１に入力される）と、例えば図３（Ａ）に「±０」、「−１００」、「−１００」、「±０」で示すように、各区画の第１端部（始点）の高さおよび第２端部（終点）の高さが配置図に表示（出力）される。
また、各区画の第１端部（始点）の高さおよび第２端部（終点）の高さが、第２取得部１Ｂおよび第３取得部１Ｃによって取得される（つまり、各区画の第１端部（始点）の高さおよび第２端部（終点）の高さが、平均地盤高さ算出装置１の操作者によって平均地盤高さ算出装置１に入力される）と、例えば図３（Ｂ）に太線で示すように、各区画の第１端部（始点）の高さおよび第２端部（終点）の高さを示す太線が立面図に表示（出力）される。
【００２６】
図１〜図５に示す例では、第４取得部１Ｄが、各区画の第１端部のふかしタイプを取得する。
詳細には、図４に示す例では、第４取得部１Ｄが、区画Ｓ１の第１端部（始点）Ｓ１Ｓのふかしタイプ「出隅」と、区画Ｓ２の第１端部（始点）Ｓ２Ｓのふかしタイプ「出隅」と、区画Ｓ３の第１端部（始点）Ｓ３Ｓのふかしタイプ「入隅」と、区画Ｓ４の第１端部（始点）Ｓ４Ｓのふかしタイプ「出隅」と、区画Ｓ５の第１端部（始点）Ｓ５Ｓのふかしタイプ「出隅」と、区画Ｓ６の第１端部（始点）Ｓ６Ｓのふかしタイプ「出隅」と、区画Ｓ７の第１端部（始点）Ｓ７Ｓのふかしタイプ「平部」とを取得する。
【００２７】
図１〜図５に示す例では、第５取得部１Ｅが、各区画の第２端部のふかしタイプを取得する。
詳細には、図４に示す例では、第５取得部１Ｅが、区画Ｓ１の第２端部（終点）Ｓ１Ｅのふかしタイプ「出隅」と、区画Ｓ２の第２端部（終点）Ｓ２Ｅのふかしタイプ「入隅」と、区画Ｓ３の第２端部（終点）Ｓ３Ｅのふかしタイプ「出隅」と、区画Ｓ４の第２端部（終点）Ｓ４Ｅのふかしタイプ「出隅」と、区画Ｓ５の第２端部（終点）Ｓ５Ｅのふかしタイプ「出隅」と、区画Ｓ６の第２端部（終点）Ｓ６Ｅのふかしタイプ「平部」と、区画Ｓ７の第２端部（終点）Ｓ７Ｅのふかしタイプ「出隅」とを取得する。
【００２８】
図１〜図５に示す例では、第１算出部１Ｆが、第４取得部１Ｄによって取得された各区画の第１端部（始点）のふかしタイプに基づいて、各区画の第１端部（始点）のふかし寸法である第１端部ふかし寸法ａｓｉを算出する。
第１算出部１Ｆは、第１端部（始点）が平部である場合に第１端部ふかし寸法ａｓｉとしてゼロを算出し、第１端部（始点）が出隅である場合に第１端部ふかし寸法ａｓｉとして正の値を算出し、第１端部（始点）が入隅である場合に第１端部ふかし寸法ａｓｉとして負の値を算出する。
【００２９】
詳細には、図４および図５に示す例では、第１算出部１Ｆが、第４取得部１Ｄによって取得された区画Ｓ１の第１端部（始点）のふかしタイプ「出隅」に基づいて、区画Ｓ１の第１端部ふかし寸法ａｓ１（１１０．５［ｍｍ］）を算出する。また、第１算出部１Ｆは、第４取得部１Ｄによって取得された区画Ｓ２の第１端部（始点）のふかしタイプ「出隅」に基づいて、区画Ｓ２の第１端部ふかし寸法ａｓ２（１１０．５［ｍｍ］）を算出する。
また、第１算出部１Ｆは、第４取得部１Ｄによって取得された区画Ｓ３の第１端部（始点）のふかしタイプ「入隅」に基づいて、区画Ｓ３の第１端部ふかし寸法ａｓ３（−１１０．５［ｍｍ］）を算出する。また、第１算出部１Ｆは、第４取得部１Ｄによって取得された区画Ｓ４の第１端部（始点）のふかしタイプ「出隅」に基づいて、区画Ｓ４の第１端部ふかし寸法ａｓ４（１１０．５［ｍｍ］）を算出する。
また、第１算出部１Ｆは、第４取得部１Ｄによって取得された区画Ｓ５の第１端部（始点）のふかしタイプ「出隅」に基づいて、区画Ｓ５の第１端部ふかし寸法ａｓ５（１１０．５［ｍｍ］）を算出する。また、第１算出部１Ｆは、第４取得部１Ｄによって取得された区画Ｓ６の第１端部（始点）のふかしタイプ「出隅」に基づいて、区画Ｓ６の第１端部ふかし寸法ａｓ６（１１０．５［ｍｍ］）を算出する。また、第１算出部１Ｆは、第４取得部１Ｄによって取得された区画Ｓ７の第１端部（始点）のふかしタイプ「平部」に基づいて、区画Ｓ７の第１端部ふかし寸法ａｓ７（０［ｍｍ］）を算出する。
【００３０】
図１〜図５に示す例では、第２算出部１Ｇが、第５取得部１Ｅによって取得された各区画の第２端部（終点）のふかしタイプに基づいて、各区画の第２端部（終点）のふかし寸法である第２端部ふかし寸法ａｅｉを算出する。
第２算出部１Ｇは、第２端部（終点）が平部である場合に第２端部ふかし寸法ａｅｉとしてゼロを算出し、第２端部（終点）が出隅である場合に第２端部ふかし寸法ａｅｉとして正の値を算出し、第２端部（終点）が入隅である場合に第２端部ふかし寸法ａｅｉとして負の値を算出する。
【００３１】
詳細には、図４および図５に示す例では、第２算出部１Ｇが、第５取得部１Ｅによって取得された区画Ｓ１の第２端部（終点）のふかしタイプ「出隅」に基づいて、区画Ｓ１の第２端部ふかし寸法ａｅ１（１１０．５［ｍｍ］）を算出する。また、第２算出部１Ｇは、第５取得部１Ｅによって取得された区画Ｓ２の第２端部（終点）のふかしタイプ「入隅」に基づいて、区画Ｓ２の第２端部ふかし寸法ａｅ２（−１１０．５［ｍｍ］）を算出する。
また、第２算出部１Ｇは、第５取得部１Ｅによって取得された区画Ｓ３の第２端部（終点）のふかしタイプ「出隅」に基づいて、区画Ｓ３の第２端部ふかし寸法ａｅ３（１１０．５［ｍｍ］）を算出する。また、第２算出部１Ｇは、第５取得部１Ｅによって取得された区画Ｓ４の第２端部（終点）のふかしタイプ「出隅」に基づいて、区画Ｓ４の第２端部ふかし寸法ａｅ４（１１０．５［ｍｍ］）を算出する。
また、第２算出部１Ｇは、第５取得部１Ｅによって取得された区画Ｓ５の第２端部（終点）のふかしタイプ「出隅」に基づいて、区画Ｓ５の第２端部ふかし寸法ａｅ５（１１０．５［ｍｍ］）を算出する。また、第２算出部１Ｇは、第５取得部１Ｅによって取得された区画Ｓ６の第２端部（終点）のふかしタイプ「平部」に基づいて、区画Ｓ６の第２端部ふかし寸法ａｅ６（０［ｍｍ］）を算出する。また、第２算出部１Ｇは、第５取得部１Ｅによって取得された区画Ｓ７の第２端部（終点）のふかしタイプ「出隅」に基づいて、区画Ｓ７の第２端部ふかし寸法ａｅ７（１１０．５［ｍｍ］）を算出する。
【００３２】
図１〜図５に示す例では、第３算出部１Ｈが、第１取得部１Ａによって取得された各区画の長さＬｉと、第１算出部１Ｆによって算出された各区画の第１端部ふかし寸法ａｓｉと、第２算出部１Ｇによって算出された各区画の第２端部ふかし寸法ａｅｉとに基づいて、各区画のふかし寸法考慮後長さＬｉ’（＝Ｌｉ＋ａｓｉ＋ａｅｉ）を算出する。
つまり、第３算出部１Ｈは、各区画のふかし寸法考慮後長さＬｉ’として、第１取得部１Ａによって取得された各区画の長さＬｉと、第１算出部１Ｆによって算出された各区画の第１端部ふかし寸法ａｓｉと、第２算出部１Ｇによって算出された各区画の第２端部ふかし寸法ａｅｉとの和（Ｌｉ＋ａｓｉ＋ａｅｉ）を算出する。
【００３３】
詳細には、図４および図５に示す例では、第３算出部１Ｈが、区画Ｓ１の長さＬ１（３６６０［ｍｍ］）と区画Ｓ１の第１端部ふかし寸法ａｓ１（１１０．５［ｍｍ］）と区画Ｓ１の第２端部ふかし寸法ａｅ１（１１０．５［ｍｍ］）とに基づいて、区画Ｓ１のふかし寸法考慮後長さＬ１’（３８８１［ｍｍ］）（＝３６６０［ｍｍ］＋１１０．５［ｍｍ］＋１１０．５［ｍｍ］）を算出する。
また、第３算出部１Ｈは、区画Ｓ２の長さＬ２（１８３０［ｍｍ］）と区画Ｓ２の第１端部ふかし寸法ａｓ２（１１０．５［ｍｍ］）と区画Ｓ２の第２端部ふかし寸法ａｅ２（−１１０．５［ｍｍ］）とに基づいて、区画Ｓ２のふかし寸法考慮後長さＬ３’（１８３０［ｍｍ］）（＝１８３０［ｍｍ］＋１１０．５［ｍｍ］−１１０．５［ｍｍ］）を算出する。
また、第３算出部１Ｈは、区画Ｓ３の長さＬ３（１８３０［ｍｍ］）と区画Ｓ３の第１端部ふかし寸法ａｓ３（−１１０．５［ｍｍ］）と区画Ｓ３の第２端部ふかし寸法ａｅ３（１１０．５［ｍｍ］）とに基づいて、区画Ｓ３のふかし寸法考慮後長さＬ３’（１８３０［ｍｍ］）（＝１８３０［ｍｍ］−１１０．５［ｍｍ］＋１１０．５［ｍｍ］）を算出する。
【００３４】
また、第３算出部１Ｈは、区画Ｓ４の長さＬ４（２７４５［ｍｍ］）と区画Ｓ４の第１端部ふかし寸法ａｓ４（１１０．５［ｍｍ］）と区画Ｓ４の第２端部ふかし寸法ａｅ４（１１０．５［ｍｍ］）とに基づいて、区画Ｓ４のふかし寸法考慮後長さＬ４’（２９６６［ｍｍ］）（＝２７４５［ｍｍ］＋１１０．５［ｍｍ］＋１１０．５［ｍｍ］）を算出する。
また、第３算出部１Ｈは、区画Ｓ５の長さＬ５（５４９０［ｍｍ］）と区画Ｓ５の第１端部ふかし寸法ａｓ５（１１０．５［ｍｍ］）と区画Ｓ５の第２端部ふかし寸法ａｅ５（１１０．５［ｍｍ］）とに基づいて、区画Ｓ５のふかし寸法考慮後長さＬ５’（５７１１［ｍｍ］）（＝５４９０［ｍｍ］＋１１０．５［ｍｍ］＋１１０．５［ｍｍ］）を算出する。
また、第３算出部１Ｈは、区画Ｓ６の長さＬ６（１８３０［ｍｍ］）と区画Ｓ６の第１端部ふかし寸法ａｓ６（１１０．５［ｍｍ］）と区画Ｓ６の第２端部ふかし寸法ａｅ６（０［ｍｍ］）とに基づいて、区画Ｓ６のふかし寸法考慮後長さＬ６’（１９４０．５［ｍｍ］）（＝１８３０［ｍｍ］＋１１０．５［ｍｍ］＋０［ｍｍ］）を算出する。
また、第３算出部１Ｈは、区画Ｓ７の長さＬ７（２７４５［ｍｍ］）と区画Ｓ７の第１端部ふかし寸法ａｓ７（０［ｍｍ］）と区画Ｓ７の第２端部ふかし寸法ａｅ７（１１０．５［ｍｍ］）とに基づいて、区画Ｓ７のふかし寸法考慮後長さＬ７’（２８５５．５［ｍｍ］）（＝２７４５［ｍｍ］＋０［ｍｍ］＋１１０．５［ｍｍ］）を算出する。
【００３５】
図１〜図５に示す例では、第４算出部１Ｊが、第２取得部１Ｂによって取得された各区画の第１端部の高さｄｓｉと、第３取得部１Ｃによって取得された各区画の第２端部の高さｄｅｉと、第３算出部１Ｈによって算出された各区画のふかし寸法考慮後長さＬｉ’とに基づいて、各区画のふかし寸法考慮後面積Ｓｉ’（＝Ｌｉ’×（ｄｓｉ＋ｄｅｉ）／２）を算出する。
つまり、第４算出部１Ｊは、各区画のふかし寸法考慮後面積Ｓｉ’として、第２取得部１Ｂによって取得された各区画の第１端部の高さｄｓｉと第３取得部１Ｃによって取得された各区画の第２端部の高さｄｅｉとの和（ｄｓｉ＋ｄｅｉ）と、第３算出部１Ｈによって算出された各区画のふかし寸法考慮後長さＬｉ’との積（Ｌｉ’×（ｄｓｉ＋ｄｅｉ））を２で除した値（Ｌｉ’×（ｄｓｉ＋ｄｅｉ）／２）を算出する。
【００３６】
詳細には、図４および図５に示す例では、第４算出部１Ｊが、区画Ｓ１の第１端部の高さｄｓ１（０［ｍｍ］）と、区画Ｓ１の第２端部の高さｄｅ１（０［ｍｍ］）と、区画Ｓ１のふかし寸法考慮後長さＬ１’（３８８１［ｍｍ］）とに基づいて、区画Ｓ１のふかし寸法考慮後面積Ｓ１’（０［ｍｍ２］）（＝３８８１［ｍｍ］×（０［ｍｍ］＋０［ｍｍ］）／２）を算出する。
また、第４算出部１Ｊは、区画Ｓ２の第１端部の高さｄｓ２（−１００［ｍｍ］）と、区画Ｓ２の第２端部の高さｄｅ２（−１００［ｍｍ］）と、区画Ｓ２のふかし寸法考慮後長さＬ２’（１８３０［ｍｍ］）とに基づいて、区画Ｓ２のふかし寸法考慮後面積Ｓ２’（−１８３０００［ｍｍ２］）（＝１８３０［ｍｍ］×（−１００［ｍｍ］−１００［ｍｍ］）／２）を算出する。
また、第４算出部１Ｊは、区画Ｓ３の第１端部の高さｄｓ３（−１００［ｍｍ］）と、区画Ｓ３の第２端部の高さｄｅ３（−５０［ｍｍ］）と、区画Ｓ３のふかし寸法考慮後長さＬ３’（１８３０［ｍｍ］）とに基づいて、区画Ｓ３のふかし寸法考慮後面積Ｓ３’（−１３７２５０［ｍｍ２］）（＝１８３０［ｍｍ］×（−１００［ｍｍ］−５０［ｍｍ］）／２）を算出する。
【００３７】
また、第４算出部１Ｊは、区画Ｓ４の第１端部の高さｄｓ４（−５０［ｍｍ］）と、区画Ｓ４の第２端部の高さｄｅ４（０［ｍｍ］）と、区画Ｓ４のふかし寸法考慮後長さＬ４’（２９６６［ｍｍ］）とに基づいて、区画Ｓ４のふかし寸法考慮後面積Ｓ４’（−７４１５０［ｍｍ２］）（＝２９６６［ｍｍ］×（−５０［ｍｍ］−０［ｍｍ］）／２）を算出する。
また、第４算出部１Ｊは、区画Ｓ５の第１端部の高さｄｓ５（０［ｍｍ］）と、区画Ｓ５の第２端部の高さｄｅ５（０［ｍｍ］）と、区画Ｓ５のふかし寸法考慮後長さＬ５’（５７１１［ｍｍ］）とに基づいて、区画Ｓ５のふかし寸法考慮後面積Ｓ５’（０［ｍｍ２］）（＝５７１１［ｍｍ］×（０［ｍｍ］＋０［ｍｍ］）／２）を算出する。
また、第４算出部１Ｊは、区画Ｓ６の第１端部の高さｄｓ６（０［ｍｍ］）と、区画Ｓ６の第２端部の高さｄｅ６（０［ｍｍ］）と、区画Ｓ６のふかし寸法考慮後長さＬ６’（１９４０．５［ｍｍ］）とに基づいて、区画Ｓ６のふかし寸法考慮後面積Ｓ６’（０［ｍｍ２］）（＝１９４０．５［ｍｍ］×（０［ｍｍ］＋０［ｍｍ］）／２）を算出する。
また、第４算出部１Ｊは、区画Ｓ７の第１端部の高さｄｓ７（０［ｍｍ］）と、区画Ｓ７の第２端部の高さｄｅ７（０［ｍｍ］）と、区画Ｓ７のふかし寸法考慮後長さＬ７’（２８５５．５［ｍｍ］）とに基づいて、区画Ｓ７のふかし寸法考慮後面積Ｓ７’（０［ｍｍ２］）（＝２８５５．５［ｍｍ］×（０［ｍｍ］＋０［ｍｍ］）／２）を算出する。
【００３８】
図１〜図５に示す例では、第５算出部１Ｋが、第３算出部１Ｈによって算出された各区画のふかし寸法考慮後長さＬｉ’に基づいて、全区画のふかし寸法考慮後長さΣＬｉ’を算出する。
詳細には、図４および図５に示す例では、第５算出部１Ｋが、全区画のふかし寸法考慮後長さΣＬｉ’として、区画Ｓ１のふかし寸法考慮後長さＬ１’（３８８１［ｍｍ］）と、区画Ｓ２のふかし寸法考慮後長さＬ２’（１８３０［ｍｍ］）と、区画Ｓ３のふかし寸法考慮後長さＬ３’（１８３０［ｍｍ］）と、区画Ｓ４のふかし寸法考慮後長さＬ４’（２９６６［ｍｍ］）と、区画Ｓ５のふかし寸法考慮後長さＬ５’（５７１１［ｍｍ］）と、区画Ｓ６のふかし寸法考慮後長さＬ６’（１９４０．５［ｍｍ］）と、区画Ｓ７のふかし寸法考慮後長さＬ７’（２８５５．５［ｍｍ］）との和（２１０１４［ｍｍ］）を算出する。
【００３９】
図１〜図５に示す例では、第６算出部１Ｌが、第４算出部１Ｊによって算出された各区画のふかし寸法考慮後面積Ｓｉ’に基づいて、全区画のふかし寸法考慮後面積ΣＳｉ’を算出する。
詳細には、図４および図５に示す例では、第６算出部１Ｌが、全区画のふかし寸法考慮後面積ΣＳｉ’として、区画Ｓ１のふかし寸法考慮後面積ΣＳ１’（０［ｍｍ２］）と、区画Ｓ２のふかし寸法考慮後面積ΣＳ２’（−１８３０００［ｍｍ２］）と、区画Ｓ３のふかし寸法考慮後面積ΣＳ３’（−１３７２５０［ｍｍ２］）と、区画Ｓ４のふかし寸法考慮後面積ΣＳ４’（−７４１５０［ｍｍ２］）と、区画Ｓ５のふかし寸法考慮後面積ΣＳ５’（０［ｍｍ２］）と、区画Ｓ６のふかし寸法考慮後面積ΣＳ６’（０［ｍｍ２］）と、区画Ｓ７のふかし寸法考慮後面積ΣＳ７’（０［ｍｍ２］）との和（−３９４４００［ｍｍ２］）を算出する。
【００４０】
図１〜図５に示す例では、第７算出部１Ｍが、第５算出部１Ｋによって算出された全区画のふかし寸法考慮後長さΣＬｉ’と、第６算出部１Ｌによって算出された全区画のふかし寸法考慮後面積ΣＳｉ’とに基づいて、平均地盤高さδ（＝ΣＳｉ’／ΣＬｉ’）を算出する。
つまり、第７算出部１Ｍは、平均地盤高さδとして、第６算出部１Ｌによって算出された全区画のふかし寸法考慮後面積ΣＳｉ’を、第５算出部１Ｋによって算出された全区画のふかし寸法考慮後長さΣＬｉ’で除した値（ΣＳｉ’／ΣＬｉ’）を算出する。
詳細には、図４および図５に示す例では、第７算出部１Ｍは、平均地盤高さδとして、全区画のふかし寸法考慮後面積ΣＳｉ’（−３９４４００［ｍｍ２］）を、全区画のふかし寸法考慮後長さΣＬｉ’（２１０１４［ｍｍ］）で除した値（−１８．７６８４［ｍｍ］≒−１９［ｍｍ］）を算出する。
すなわち、図４および図５に示す例では、平均地盤高さδ（平均ＧＬの高さ）が、設計ＧＬよりも約１９［ｍｍ］低い旨が、第１実施形態の平均地盤高さ算出装置１によって得られる。
詳細には、図１〜図５に示す例では、第７算出部１Ｍによって算出される平均地盤高さδの値は、設計ＧＬに対する平均ＧＬの相対的高さ（低さ）が低い場合にプラスの値になる。
第７算出部１Ｍによって算出される平均地盤高さδの計算式が、図３（Ａ）に示す配置図、図３（Ｂ）に示す立面図などに表示（出力）されてもよい。
【００４１】
図６は第１実施形態の平均地盤高さ算出装置１において実行される処理の一例を説明するためのフローチャートである。
図６に示す例では、ステップＳ１において、第１取得部１Ａが、各区画の長さＬｉを取得する。また、第２取得部１Ｂが、各区画の第１端部（始点）の高さｄｓｉを取得する。また、第３取得部１Ｃが、各区画の第２端部（終点）の高さｄｅｉを取得する。
次いで、ステップＳ２では、第４取得部１Ｄが、各区画の第１端部（始点）のふかしタイプを取得する。また、第５取得部１Ｅが、各区画の第２端部（終点）のふかしタイプを取得する。
次いで、ステップＳ３では、第１算出部１Ｆが、ステップＳ２において取得された各区画の第１端部（始点）のふかしタイプに基づいて、各区画の第１端部ふかし寸法ａｓｉを算出する。また、第２算出部１Ｇが、ステップＳ２において取得された各区画の第２端部（終点）のふかしタイプに基づいて、各区画の第２端部ふかし寸法ａｅｉを算出する。
次いで、ステップＳ４では、第３算出部１Ｈが、ステップＳ１において取得された各区画の長さＬｉと、ステップＳ３において算出された各区画の第１端部ふかし寸法ａｓｉと、ステップＳ３において算出された各区画の第２端部ふかし寸法ａｅｉとに基づいて、各区画のふかし寸法考慮後長さＬｉ’を算出する。
次いで、ステップＳ５では、第４算出部１Ｊが、ステップＳ１において取得された各区画の第１端部の高さｄｓｉと、ステップＳ１において取得された各区画の第２端部の高さｄｅｉと、ステップＳ４において算出された各区画のふかし寸法考慮後長さＬｉ’とに基づいて、各区画のふかし寸法考慮後面積Ｓｉ’を算出する。
次いで、ステップＳ６では、第５算出部１Ｋが、ステップＳ４において算出された各区画のふかし寸法考慮後長さＬｉ’に基づいて、全区画のふかし寸法考慮後長さΣＬｉ’を算出する。
次いで、ステップＳ７では、第６算出部１Ｌが、ステップＳ５において算出された各区画のふかし寸法考慮後面積Ｓｉ’に基づいて、全区画のふかし寸法考慮後面積ΣＳｉ’を算出する。
次いで、ステップＳ８では、第７算出部１Ｍが、ステップＳ６において算出された全区画のふかし寸法考慮後長さΣＬｉ’と、ステップＳ７において算出された全区画のふかし寸法考慮後面積ΣＳｉ’とに基づいて、平均地盤高さδを算出する。
【００４２】
上述したように第１実施形態の平均地盤高さ算出装置１では、例えば特許文献１に記載された技術のように判定結果が不一致のときに行われる選択処理のような煩雑な手順によることなく、平均地盤高さδが算出される。
更に、第１実施形態の平均地盤高さ算出装置１では、ふかし寸法が考慮されて、平均地盤高さδが算出される。
そのため、第１実施形態の平均地盤高さ算出装置１では、ふかし寸法が考慮された高精度な平均地盤高さδを容易に算出することができる。
【００４３】
図７は第１実施形態の平均地盤高さ算出装置１の第１適用例を示す図である。図８は設計ＧＬと平均ＧＬと平均地盤高さδと基礎天端との関係などを示す図である。
図７および図８に示す例では、第１実施形態の平均地盤高さ算出装置１が、建物高さ算出システム１０に適用されている。
建物高さ算出システム１０は、平均地盤高さ算出装置１と、建物高さ算出部１１とを備えている。
建物高さ算出部１１は、平均地盤高さ算出装置１の第７算出部１Ｍ（図１参照）によって算出された平均地盤高さδと、敷地における設計ＧＬから基礎天端までの高さである基礎天端高さｈと、基礎天端よりも上の建物ＢＧの高さである構造高さＨＫとに基づいて、建物ＢＧの構造計算に用いられる建物高さＨを算出する。
詳細には、建物高さ算出部１１は、建物ＢＧの構造計算に用いられる建物高さＨとして、平均地盤高さδと基礎天端高さｈと構造高さＨＫとの和（δ＋ｈ＋ＨＫ）を算出する。
【００４４】
図９は第１実施形態の平均地盤高さ算出装置１の第２適用例を示す図である。図１０は設計ＧＬと、平均ＧＬと、平均地盤高さδと、建物ＢＧの最高高と、建物ＢＧの真北方向の軒先と境界線との距離と、北側斜線の勾配と、基準高さとの関係を示す図である。
図９および図１０に示す例では、第１実施形態の平均地盤高さ算出装置１が、北側斜線制限検討システム２０に適用されている。
北側斜線制限検討システム２０は、図７に示す建物高さ算出システム１０と、北側斜線制限検討部２１とを備えている。
北側斜線制限検討部２１は、建物高さ算出システム１０によって算出された建物高さＨ（詳細には、建物ＢＧの最高高）（８４８０［ｍｍ］）と、建物ＢＧの真北方向の軒先と境界線との距離（６１４０［ｍｍ］）と、北側斜線の勾配（６／１０）と、基準高さ（５０００［ｍｍ］）とに基づいて、北側斜線制限の検討を実行する。
具体的には、北側斜線制限検討部２１は、建物ＢＧの最高高（８４８０［ｍｍ］）が、建物ＢＧの真北方向の軒先と境界線との距離（６１４０［ｍｍ］）と北側斜線の勾配（６／１０）との積（６１４０［ｍｍ］×０．６）と、基準高さ（５０００［ｍｍ］）との和（６１４０［ｍｍ］×０．６＋５０００［ｍｍ］＝８６８４［ｍｍ］）よりも小さいため、建物ＢＧが北側斜線制限の法規を満足していると判断する。
北側斜線制限検討部２１による北側斜線制限の検討結果が、図３（Ａ）に示すような配置図、図３（Ｂ）に示すような立面図などに表示（出力）されてもよい。
また、図３（Ａ）に示すような配置図、図３（Ｂ）に示すような立面図などに、「線？図？」が表示（出力）されてもよい。
【００４５】
図１１は第１実施形態の平均地盤高さ算出装置１の第３適用例を示す図である。
図１１に示す例では、第１実施形態の平均地盤高さ算出装置１が、速度圧算出システム３０に適用されている。
速度圧算出システム３０は、図７に示す建物高さ算出システム１０と、速度圧算出部３１とを備えている。
速度圧算出部３１は、建築基準法施行令８７条に定められている式に基づいて速度圧を算出する。詳細には、速度圧算出部３１は、建物高さ算出システム１０によって算出された建物高さＨ、建物ＢＧの軒の高さ、基準風速などに基づいて、速度圧を算出する。
【００４６】
第１実施形態の平均地盤高さ算出装置１の他の適用例では、第１実施形態の平均地盤高さ算出装置１により得られる平均地盤高さδ、および、第１実施形態の平均地盤高さ算出装置１において用いられる数値を用いることによって、地盤が基礎梁に与える荷重を考慮した基礎梁の応力検討が行われる。
第１実施形態の平均地盤高さ算出装置１の更に他の適用例では、第１実施形態の平均地盤高さ算出装置１により得られる平均地盤高さδ、および、第１実施形態の平均地盤高さ算出装置１において用いられる数値を用いることによって、地盤が基礎梁に与える荷重を考慮した立面図への地盤面の描画が行われる。
第１実施形態の平均地盤高さ算出装置１の更に他の適用例では、第１実施形態の平均地盤高さ算出装置１により得られる平均地盤高さδ、および、第１実施形態の平均地盤高さ算出装置１において用いられる数値を用いることによって、配置図への地盤高さの表記が行われる。
第１実施形態の平均地盤高さ算出装置１の更に他の適用例では、第１実施形態の平均地盤高さ算出装置１により得られる平均地盤高さδが、温熱計算上考慮する地盤の高さに利用される。
【００４７】
第１実施形態の平均地盤高さ算出装置１が適用される建物ＢＧは、例えば、所定の平面モジュールを有し、各部位の層構成や寸法が標準化されている工業化住宅等の規格化・標準化された建物である。
第１実施形態の平均地盤高さ算出装置１が工業化住宅等の規格化・標準化された建物に適用される場合には、第１実施形態の平均地盤高さ算出装置１が工業化住宅等の規格化・標準化された建物以外の建物に適用される場合よりも、平均地盤高さ算出装置１によって算出された数値、平均地盤高さ算出装置１において用いられる数値などの入力位置の指定が容易になる。
また、第１実施形態の平均地盤高さ算出装置１が工業化住宅等の規格化・標準化された建物に適用される場合、標準値のままのポイントについては、平均地盤高さ算出装置１によって算出された数値、平均地盤高さ算出装置１において用いられる数値などの入力を省略することもでき、入力の手間を省くことができる。
また、第１実施形態の平均地盤高さ算出装置１が工業化住宅等の規格化・標準化された建物に適用される場合には、ふかし寸法が所定値に定められているため、計算の手間を省くことができる。
他の例では、平均地盤高さ算出装置１などに入力された「高さ」に基づいて、（ふかし寸法や平均地盤高さとは無関係な）各種構造計算や構造安全性の検討を行い、その検討の過程（計算式）や結果を出力させるようにしてもよい。
例えば、基礎及び基礎フーチング上の土を含む建物重量及び重心位置の計算過程（計算式）や結果を出力させるようにしてもよい。また、基礎に作用する左右の土圧の違いに対する基礎の安全性の検討過程（計算式）や結果を出力させるようにしてもよい。あるいは、地反力に対する基礎のフーチングの安全性の検討過程（計算式）や結果を出力させるようにしてもよい。
【００４８】
以上、本発明を実施するための形態について実施形態を用いて説明したが、本発明はこうした実施形態に何等限定されるものではなく、本発明の要旨を逸脱しない範囲内において種々の変形及び置換を加えることができる。上述した各実施形態および各例に記載の構成を適宜組み合わせてもよい。
【００４９】
なお、上述した実施形態における平均地盤高さ算出装置１が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００５０】
１…平均地盤高さ算出装置、１Ａ…第１取得部、１Ｂ…第２取得部、１Ｃ…第３取得部、１Ｄ…第４取得部、１Ｅ…第５取得部、１Ｆ…第１算出部、１Ｇ…第２算出部、１Ｈ…第３算出部、１Ｊ…第４算出部、１Ｋ…第５算出部、１Ｌ…第６算出部、１Ｍ…第７算出部、１０…建物高さ算出システム、１１…建物高さ算出部、２０…北側斜線制限検討システム、２１…北側斜線制限検討部、３０…速度圧算出システム、３１…速度圧算出部、ＢＧ…建物
【図１】
2020154799.tif 000003
【図２】
2020154799.tif 000004
【図３】
2020154799.tif 000005
【図４】
2020154799.tif 000006
【図５】
2020154799.tif 000007
【図６】
2020154799.tif 000008
【図７】
2020154799.tif 000009
【図８】
2020154799.tif 000010
【図９】
2020154799.tif 000011
【図１０】
2020154799.tif 000012
【図１１】
2020154799.tif 000013